(57)【要約】  本開示の撮像装置は、画像データを生成する撮像部と、撮像部により得られた画像データを記録する記録部と、撮像部により得られた画像データのリアルタイム動画像であるライブビュー画像と、記録部に記録される静止画像であるアフタービュー画像と、を表示可能な表示部と、撮像部及び表示部を制御する制御部と、を備える。制御部は、撮像部に第１周期で連続的に撮像動作を行わせた後、第１周期よりも長い第２周期で撮像部に連続的に撮像動作を行わせ、撮像部が第１周期で撮像動作を行っているときは表示部に第１表示状態を取らせる一方、撮像部が第２周期で撮像動作を行っているときは表示部に第１表示状態とは異なる第２表示状態を取らせる。
2015146004.tif 000002
【特許請求の範囲】
【請求項１】
被写体を撮像して画像データを生成する撮像部と、
前記撮像部により得られた画像データを記録する記録部と、
前記撮像部により得られた画像データのリアルタイム動画像であるライブビュー画像と、前記記録部に記録される静止画像であるアフタービュー画像と、を表示可能な表示部と、
前記撮像部及び前記表示部を制御する制御部と、を備え、
前記制御部は、
前記撮像部に第１周期で連続的に撮像動作を行わせた後、前記第１周期よりも長い第２周期で前記撮像部に連続的に撮像動作を行わせ、
前記撮像部が前記第１周期で撮像動作を行っているときは前記表示部に第１表示状態を取らせる一方、
前記撮像部が前記第２周期で撮像動作を行っているときは前記表示部に前記第１表示状態とは異なる第２表示状態を取らせる、
撮像装置。
【請求項２】
前記制御部は、前記第１表示状態として、撮像動作に連動して前記アフタービュー画像を前記表示部に表示させる、
請求項１に記載の撮像装置。
【請求項３】
前記制御部は、前記撮像部が前記第２周期で連続的に撮像動作を行っているとき、各撮像動作の間に待機動作を設け、
前記第２表示状態として撮像動作時と待機動作時とで異なる画像を前記表示部に表示させる、
請求項１に記載の撮像装置。
【請求項４】
前記制御部は、前記第２表示状態として、待機動作時には前記表示部に前記ライブビュー画像を表示させる、
請求項３に記載の撮像装置。
【請求項５】
前記制御部は、前記第２表示状態として、撮像動作中には前記表示部に前記撮像部で撮像された画像を表示しない、
請求項４に記載の撮像装置。
【請求項６】
前記制御部は、前記第２表示状態として、撮像動作中には前記表示部に前記アフタービュー画像を表示する、
請求項４に記載の撮像装置。
【請求項７】
前記撮像部は、開口と、前記開口を覆う状態と前記開口から退避した状態とに駆動可能な先幕及び後幕を有するシャッタ機構を更に備え、
前記制御部は、撮像動作に移る準備動作中に、前記先幕及び前記後幕が前記開口から退避した状態を取るノーマリオープン駆動と、前記先幕及び前記後幕が前記開口から退避した状態を取らないノーマリクローズ駆動とを前記シャッタ機構に選択的に行わせ、
前記撮像部が前記第１周期で撮像動作を行っているときは前記シャッタ機構にノーマリクローズ駆動をさせる一方、
前記撮像部が前記第２周期で撮像動作を行っているときは前記シャッタ機構にノーマリオープン駆動をさせる、
請求項１に記載の撮像装置。
【請求項８】
前記記録部は、前記撮像部により得られた画像データを一時的に格納するバッファであり、
前記制御部は、前記バッファの保存量が第１の量を閾値として、前記撮像部を前記第１周期で駆動させるか、前記第２周期で駆動させるかを制御する、
請求項１に記載の撮像装置。
【請求項９】
前記制御部は、前記バッファの保存量に応じて前記撮像部を前記第２周期で駆動させている際に、
前記バッファの保存量である第２の量を閾値として、前記撮像部を前記第２周期で駆動させるか、前記第１周期で駆動させるかを制御する、
請求項８に記載の撮像装置。
【請求項１０】
前記第１の量は、前記第２の量より多い量である、
請求項９に記載の撮像装置。
【発明の詳細な説明】
【技術分野】
【０００１】
本開示は、連写撮影可能な撮像装置のシャッタ駆動に関する。
【背景技術】
【０００２】
特許文献１には、チャージモータの回転方向を切り換えることでノーマリオープン駆動、ノーマリクローズ駆動を切り替えるシャッタ機構が開示されている。
【先行技術文献】
【特許文献】
【０００３】
【特許文献１】国際公開第２０１３／０２７４２０号
【発明の概要】
【０００４】
本開示は、一連の連写撮影時において連写速度が低下した際に好適な表示をすることが可能な撮像装置の提供を目的とする。
【０００５】
本開示における撮像装置は、被写体を撮像して画像データを生成する撮像部と、撮像部により得られた画像データを記録する記録部と、撮像部により得られた画像データのリアルタイム動画像であるライブビュー画像と、記録部に記録される静止画像であるアフタービュー画像と、を表示可能な表示部と、撮像部及び表示部を制御する制御部と、を備える。制御部は、撮像部に第１周期で連続的に撮像動作を行わせた後、第１周期よりも長い第２周期で撮像部に連続的に撮像動作を行わせ、撮像部が第１周期で撮像動作を行っているときは表示部に第１表示状態を取らせる一方、撮像部が第２周期で撮像動作を行っているときは表示部に第１表示状態とは異なる第２表示状態を取らせる。
【０００６】
本開示によれば、一連の連写撮影時において連写速度が低下した際に好適な表示をすることが可能な撮像装置を提供することができる。
【図面の簡単な説明】
【０００７】
【図１】実施の形態１におけるデジタルカメラの電気構成図
【図２Ａ】実施の形態１におけるメカシャッタとチャージブロックの構成図
【図２Ｂ】実施の形態１におけるメカシャッタの構成図
【図３Ａ】実施の形態１におけるメカシャッタのノーマリオープン駆動時の概略図
【図３Ｂ】実施の形態１におけるメカシャッタのノーマリオープン駆動時の概略図
【図３Ｃ】実施の形態１におけるメカシャッタのノーマリオープン駆動時の概略図
【図３Ｄ】実施の形態１におけるメカシャッタのノーマリオープン駆動時の概略図
【図４Ａ】実施の形態１におけるメカシャッタのノーマリクローズ駆動時の概略図
【図４Ｂ】実施の形態１におけるメカシャッタのノーマリクローズ駆動時の概略図
【図４Ｃ】実施の形態１におけるメカシャッタのノーマリクローズ駆動時の概略図
【図４Ｄ】実施の形態１におけるメカシャッタのノーマリクローズ駆動時の概略図
【図５】実施の形態１におけるデジタルカメラのノーマリオープン撮像動作のタイムチャート
【図６】実施の形態１におけるデジタルカメラのノーマリクローズ撮像動作のタイムチャート
【図７】実施の形態１におけるデジタルカメラの動作フローチャート
【図８】実施の形態１におけるデジタルカメラの表示態様を示す概略図
【図９】実施の形態２におけるデジタルカメラの動作フローチャート
【図１０】実施の形態２におけるデジタルカメラの表示態様を示す概略図
【図１１】実施の形態３におけるバッファの保存量を示す概要図
【図１２】実施の形態３におけるデジタルカメラの動作フローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより請求の範囲に記載の主題を限定することは意図されていない。
【００１０】
〔１．実施の形態１〕
以下、図１〜図８を用いて実施の形態１に係るデジタルカメラ１０について説明する。デジタルカメラ１０は、撮像装置の一例である。
【００１１】
〔１−１．構成〕
〔１−１−１．デジタルカメラの構成〕
以下、図１、図２Ａ及び図２Ｂを用いて実施の形態１に係るデジタルカメラ１０の構成を説明する。
【００１２】
図１は、デジタルカメラ１０の電気的構成の要部を示す図である。デジタルカメラ１０は、交換レンズ６００と、カメラボディ７００とを含む。カメラボディ７００は、メカシャッタ１００、チャージブロック２００、バッファ３００、ポジションセンサ４００、ＣＭＯＳセンサ５０１、モニタ５０２、ＣＰＵ５０３、メモリカード５０５を挿入するスロット５０４、電源５０６、レリーズ釦５０７を含む。
【００１３】
交換レンズ６００は、カメラボディ７００に着脱可能なレンズである。交換レンズ６００は、ズームレンズ、フォーカスレンズ、手振れ補正レンズ、絞りなどの光学系を有する。交換レンズは、光学系を駆動する駆動部を有する。
【００１４】
バッファ３００は、図示しない画像処理部やＣＰＵ５０３のワークメモリとして機能する。例えば、バッファ３００は、ＣＭＯＳセンサ５０１により撮像された画像データを一時的に保存する。バッファ３００は、ＤＲＡＭ、強誘電体メモリなどで実現でき、記録部の一例である。
【００１５】
ポジションセンサ４００は、メカシャッタ１００の先幕及び後幕が所定の位置に移動したことを検出できる位置に配置されている。ポジションセンサ４００は、フォトインタラプタなどで実現可能である。
【００１６】
ＣＭＯＳセンサ５０１は、撮像素子の一例である。ＣＭＯＳセンサ５０１は、交換レンズ６００により形成される被写体の光学像から光電変換により画像データを生成する。ＣＭＯＳセンサ５０１は、静止画データおよび動画データの取得を行うことができる。取得された動画データは、ライブビュー（Ｌｉｖｅ  Ｖｉｅｗ：ＬＶ）画像の表示にも用いられる。
【００１７】
モニタ５０２は、ＣＭＯＳセンサ５０１から得られた画像データを表示する。また、モニタ５０２は、画像データと共にデジタルカメラ１０の撮影条件、操作メニュー等を表示することもできる。モニタ５０２は、液晶ディスプレイなどで実現できる。
【００１８】
ＣＰＵ５０３は、デジタルカメラ１０全体を制御する。また、ＣＰＵ５０３は、撮影に必要な情報等を記録する内部メモリを含む。ＣＰＵ５０３は、ハードワイヤードな電子回路で構成してもよいし、マイクロコンピュータなどで構成してもよい。
【００１９】
スロット５０４は、メモリカード５０５を着脱可能である。スロット５０４は、ＣＰＵ５０３から送信される制御信号に基づいて、メモリカード５０５を制御する。具体的には、スロット５０４は、メモリカード５０５に画像データを格納することができる。また、スロット５０４はメモリカード５０５から画像データを出力することができる。
【００２０】
電源５０６は、デジタルカメラ１０全体の稼働に必要な電力を供給する。電源５０６は、例えば、乾電池であってもよいし、充電池であってもよい。また、電源５０６は、電源コードにより外部から供給される電力をデジタルカメラ１０に供給するものであってもよい。
【００２１】
レリーズ釦５０７は、二段式の操作釦である。使用者がレリーズ釦５０７を半押し操作すると、ＣＰＵ５０３は画像の所定の位置において合焦処理を行う。使用者がレリーズ釦５０７を全押し操作すると、ＣＰＵ５０３はメカシャッタ１００を駆動してＣＭＯＳセンサ５０１への露光を制御する。その後、ＣＰＵ５０３は画像データをメモリカード５０５に格納する。デジタルカメラ１０が連写モードに設定されているとき、使用者がレリーズ釦５０７を押下（全押し）している間、所定の時間間隔で画像データを記録し続ける。
【００２２】
〔１−１−２．シャッタ部の構成〕
図２Ａは、メカシャッタ１００とチャージブロック２００の構成図である。図２Ｂは、メカシャッタ１００を被写体側から見た模式図である。
【００２３】
メカシャッタ１００は、先幕３１及び後幕２１を有する一般的なフォーカルプレーンシャッタである。メカシャッタ１００は、開口１１を有するベース部材、先幕３１、後幕２１等を備えている。
【００２４】
開口１１は、メカシャッタ１００に設けられた、光を通す穴である。メカシャッタ１００を被写体側から見ると、開口１１の先にＣＭＯＳセンサ５０１が配置されている。
【００２５】
後幕２１はメカシャッタ１００内に上下方向に移動可能に配置されている。後幕２１はシャッタ駆動機構８５により上下方向に移動可能に支持されている。また、先幕３１はメカシャッタ１００内に上下方向に移動可能に配置されている。先幕３１はシャッタ駆動機構８５により上下方向に移動可能に支持されている。本実施の形態では、後幕２１が開口１１の上方に退避し、先幕３１が開口１１の下方に退避するが、後幕２１および先幕３１の配置が逆であってもよい。
【００２６】
後幕用電磁石２６は、電磁石である。後幕用電磁石２６は、通電状態と非通電状態とを取る。後幕用電磁石２６は、後幕２１の一端を吸着保持する際に通電状態となる。後幕用電磁石２６が非通電状態であるとき、後幕２１の一端は後幕用電磁石２６に吸着されない。後幕用電磁石２６は、通電状態と非通電状態とを切り換えることで後幕２１の保持状態を制御する。
【００２７】
先幕用電磁石３６は、電磁石である。先幕用電磁石３６は、通電状態と非通電状態とを取る。先幕用電磁石３６は、先幕３１の一端を吸着保持する際に通電状態となる。先幕用電磁石３６が非通電状態であるとき、先幕３１の一端は先幕用電磁石３６に吸着されない。先幕用電磁石３６は、通電状態と非通電状態とを切り換えることで先幕３１の保持状態を制御する。
【００２８】
チャージブロック２００は、シャッタ駆動機構８５、チャージモータ２０１、フレキシブルケーブル８００を有する。
【００２９】
シャッタ駆動機構８５はメカシャッタ１００に対して後幕２１および先幕３１を移動可能に支持している。シャッタ駆動機構８５は、図示しない先幕走行バネ、先幕セットバネ、後幕走行バネ、後幕セットバネおよび駆動レバーを有している。先幕走行バネは後幕２１を上方に走行させるための弾性力を後幕２１に付与する。先幕セットバネは後幕２１を下方に走行させるための弾性力を後幕２１に付与する。先幕走行バネの弾性力は先幕セットバネの弾性力よりも大きいので、先幕セットバネの弾性力に逆らって後幕２１は上方に走行することができる。後幕走行バネは先幕３１を上方に走行させるための付勢力を先幕３１に付与する。駆動レバーは、チャージブロック２００に対して回転可能に支持されている。駆動レバーを駆動すると、先幕走行バネおよび後幕走行バネが圧縮されて、後幕２１および先幕３１を走行させるための弾性力がチャージされる。上述したチャージ動作は、チャージモータ２０１を巻き上げることにより行われる。
【００３０】
チャージモータ２０１は、シャッタ駆動機構８５に駆動力を与える。チャージモータ２０１に備えられたギア（不図示）は、シャッタ駆動機構８５内のギア（不図示）と噛み合う。チャージモータ２０１を巻き上げることで、シャッタ駆動機構８５のチャージ動作が行われる。チャージモータ２０１は例えば直流モータで実現できる。チャージモータ２０１は、ＣＰＵ５０３により制御される。
【００３１】
フレキシブルケーブル８００は、回路パターンが構成されている。フレキシブルケーブル８００は、ＣＰＵ５０３やポジションセンサ４００等と接続されている。フレキシブルケーブル８００は、可撓性に優れたフレキシブルプリント基板（ＦＰＣ）などで実現できる。
【００３２】
なお、交換レンズ６００及びＣＭＯＳセンサ５０１は、撮像部の一例である。モニタ５０２は、表示部の一例である。ＣＰＵ５０３は、制御部の一例である。メカシャッタ１００は、シャッタ機構の一例である。
【００３３】
〔１−２．動作〕
本実施の形態に係るデジタルカメラ１０は、チャージモータ２０１の回転方向を切り換えることでノーマリオープン撮像動作とノーマリクローズ撮像動作とを切り替えることができる。具体的には、チャージモータ２０１が正回転すると、シャッタ駆動機構８５はノーマリオープン撮像動作を行うように先幕３１及び後幕２１を駆動する。チャージモータ２０１が負回転すると、シャッタ駆動機構８５はノーマリクローズ撮像動作をするように先幕３１及び後幕２１を駆動する。
【００３４】
ノーマリオープン撮像動作とは、連写撮影時において、撮像動作を行うための準備動作中に先幕３１及び後幕２１が開口１１から退避した状態を取る撮像動作である。ノーマリクローズ撮像動作とは、連写撮影時において、撮像動作を行うための準備動作中に先幕３１及び後幕２１が開口１１から退避した状態を取らない撮像動作である。詳しくは以下で説明する。
【００３５】
〔１−２−１．ノーマリオープン撮像動作〕
図３Ａ〜図３Ｄ及び図５を用いて、ノーマリオープン撮像動作について説明する。図３Ａ〜図３Ｄは、ノーマリオープン撮像動作中のメカシャッタ１００の駆動の様子を示す図である。図５は、ノーマリオープン撮像動作中のデジタルカメラ１０の動作タイムチャートである。
【００３６】
図３Ａ〜図３Ｄを用いてデジタルカメラ１０が撮影動作を行う際のメカシャッタ１００の動作について説明する。デジタルカメラ１０が撮影モードであるとき、使用者によるレリーズ釦の押下操作を受け付けるまでは、後幕２１、先幕３１は、共に開口１１から退避した状態で保持される（図３Ａ）。このとき、メカシャッタ１００は図３Ａに示す状態となり、開口１１から進入した光はＣＭＯＳセンサ５０１で結像される。
【００３７】
使用者がレリーズ釦５０７を全押し操作（ＯＮ）すると、先幕３１が開口１１を覆う（図３Ｂ）。これにより、デジタルカメラ１０はＣＭＯＳセンサ５０１に光が届かない状態となる。先幕３１が開口１１を覆う際の機械的動作が安定した後、先幕３１及び後幕２１が走行する。このとき、図３Ｃに示すように後幕２１は先幕３１と隙間を開けて、先幕３１を追うように走行する。なお、露光時間が所定時間より長く設定されているときは、先幕３１の走行が終了してから所定時間後に後幕２１が走行する。ＣＭＯＳセンサ５０１は、先幕３１と後幕２１の隙間から被写体像を取り込む。
【００３８】
走行動作が完了すると、後幕２１が開口１１を覆うように保持される（図３Ｄ）。これにより、デジタルカメラ１０はＣＭＯＳセンサ５０１に光が届かない状態となる。このとき、ＣＰＵ５０３はＣＭＯＳセンサ５０１から画像データを取り込む。デジタルカメラ１０は、画像データの取り込みが終了してから再度撮像可能な状態へ移行する。デジタルカメラ１０が連写モードに設定されている時、使用者がレリーズ釦５０７を押下操作している間、上記動作を繰り返す。
【００３９】
以上説明したように、ノーマリオープン撮像動作では、連写撮影を行う度に図３Ａに示すような、開口１１から先幕３１及び後幕２１が退避した状態を取る。
【００４０】
図５を用いて、ノーマリオープン撮像動作を行う際のタイムチャートを説明する。デジタルカメラ１０が連写モードであるとき、メカシャッタ１００は開いた状態で、使用者からのレリーズ釦５０７の押下を待つ。このとき、デジタルカメラ１０はＣＭＯＳセンサ５０１により得られるＬＶ画像をモニタ５０２に表示する（タイムＳ０００）。
【００４１】
使用者がレリーズ釦５０７を押下すると、先幕用電磁石３６及び後幕用電磁石２６が通電状態（ＯＮ）となる（タイムＳ１００）。また、タイムＳ１００でチャージモータ２０１も通電状態（ＯＮ）となる。
【００４２】
チャージモータ２０１が通電状態となると、チャージモータ２０１はシャッタ駆動機構８５のチャージを開始する（前駆動）。シャッタ駆動機構８５のチャージが完了すると（タイムＳ１０１）、シャッタ駆動機構８５は先幕３１を駆動し、図３Ｂの状態にセットする（先幕セット）。
【００４３】
先幕セットが完了すると（タイムＳ１０２）、チャージモータ２０１はショートブレーキ（ＳＢ）を行う。先幕３１をセットする際に、先幕３１は、バネを含むシャッタ駆動機構８５により駆動されるので、先幕セットが完了した後も微小振動する。この微小振動が次の動作に影響を与える可能性があるので、先幕３１をセットし終えた後、先幕３１が安定するまで所定時間待機する（安定待ち１）。ここで所定時間とは、先幕３１の微小振動が減衰するのに十分な時間であり、デジタルカメラ１０に予め決められた時間である。
【００４４】
先幕３１が安定すると、ＣＰＵ５０３は先幕用電磁石３６への通電を解除（ＯＦＦ）する（タイムＳ１０３）。先幕用電磁石３６への通電が解除されると、先幕３１の吸着保持状態が解除され、シャッタ駆動機構８５によって開口１１から退避する。
【００４５】
所定時間（シャッタスピード）経過後、ＣＰＵ５０３は後幕用電磁石２６への通電を解除（ＯＦＦ）する（タイムＳ１０４）。後幕用電磁石２６への通電が解除されると、後幕２１の吸着保持状態が解除され、シャッタ駆動機構８５によって後幕２１が開口１１を塞ぐ（タイムＳ１０５）。
【００４６】
タイムＳ１０３からＳ１０５までの間、開口１１は図３Ｃに示すように一部が先幕３１及び後幕２１に覆われていない状態となる（露光）。この部分でＣＭＯＳセンサ５０１に光が取り込まれる。本実施の形態では、タイムＳ１０３からＳ１０５までに要する時間を露光時間と呼ぶこととする。露光時間は、先幕３１の走行が開始してから、後幕２１の走行が終了するまでの時間を指す。露光時間は、使用者の設定等により決定されるシャッタスピードと、先幕３１及び後幕２１の走行速度と、によって決定される。なお、シャッタスピードとは、通常、先幕３１の走行が開始してから後幕２１の走行が開始するまでの時間（タイムＳ１０３〜Ｓ１０４）を指す。
【００４７】
先幕３１が完全に開口１１から退避し、かつ、後幕２１が開口１１を完全に塞ぐと（タイムＳ１０５）、図３Ｄに示すように開口１１が後幕２１によって塞がれた状態となる。このとき、ＣＭＯＳセンサ５０１へ進入する光は後幕２１によって遮断される。タイムＳ１０３からＳ１０５の露光動作の際に、先幕３１及び後幕２１は共にバネを含むシャッタ駆動機構８５によって駆動される。従って、露光動作が終了した後も先幕３１及び後幕２１は微小振動する。この微小振動が後の動作に影響を与える可能性があるので、先幕３１及び後幕２１が安定するまで所定時間待機する（安定待ち２）。ここで所定時間とは、先幕３１及び後幕２１が安定するのに十分な時間であり、デジタルカメラ１０により予め決められている時間である。
【００４８】
先幕３１及び後幕２１が安定すると、ＣＰＵ５０３はＣＭＯＳセンサ５０１から画像データの読み出し（ＯＮ）を行う（タイムＳ１０６）。画像データの読み出しと並行して、所定時間（余裕時間）経過後に、次のコマの撮像に備えてチャージモータ２０１によりシャッタ駆動機構８５がチャージ（ＯＮ）される（タイムＳ１０７）。タイムＳ１０６からＳ１０７の余裕時間については後述する。ここで、チャージに要する時間はチャージモータ２０１がシャッタ駆動機構８５をチャージする際の機械的要因により決定される時間である。
【００４９】
チャージ動作と連動して、ＣＰＵ５０３は、先幕用電磁石３６及び後幕用電磁石２６を通電させる。また、シャッタ駆動機構８５は、後幕２１を開口１１から退避させる（タイムＳ１０８）。後幕２１が開口１１から退避すると、後幕２１は後幕用電磁石２６に吸着保持される。そして、シャッタ駆動機構８５は、開口１１を覆うように先幕３１のセットを開始する（タイムＳ１０９）。先幕３１のセットが完了すると（タイムＳ１１０）、先幕３１は先幕用電磁石３６に吸着保持される。後幕２１及び先幕３１のセットが完了すると、チャージモータ２０１にショートブレーキをかけて後幕２１及び先幕３１が安定するのを待つ。即ち、タイムＳ１１０はタイムＳ１０２と対応している。後幕２１をセットする動作（タイムＳ１０８からＳ１０９）は、実際にはチャージ動作と連動して行われる。
【００５０】
ここで、余裕時間（タイムＳ１０６からＳ１０７）について説明する。上述したように、チャージ時間とは機械的要因により決定される時間である。また、メカシャッタ１００のシーケンスは、画像データの読み出しとは関係を持たずに行われている。即ち、メカシャッタ１００は画像データの読み出し動作が終了したか否かに依らず、チャージが終了すれば後幕２１のセットを開始する。このとき、画像データの読み出しが終了する前にチャージが終了して後幕セットが開始されてしまうと、画像データの読み出し中にＣＭＯＳセンサ５０１が光を検出してしまう。すると、読み出し中の画像データが乱れてしまう可能性がある。
【００５１】
余裕時間はこのような状況を防ぐために設定されている。画像データの読み出しに要する時間は、画像データの形式によって決まっているため、余裕時間とチャージ時間を足した時間（タイムＳ１０６からＳ１０８）の間に画像データの読み出しが終了するように、ＣＰＵ５０３は余裕時間を決定する。
【００５２】
上述したように、ノーマリオープン撮像動作では、連写撮影の各コマの間で、先幕３１及び後幕２１が開口１１から退避した状態を有する（タイムＳ１０９）。先幕３１及び後幕２１が開口１１から退避した状態を経て先幕３１をセットし、次のコマの撮像動作に移る。
【００５３】
〔１−２−２．ノーマリクローズ撮像動作〕
図４Ａ〜図４Ｄ及び図６を用いて、ノーマリクローズ撮像動作について説明する。図４Ａ〜図４Ｄは、ノーマリクローズ撮像動作中のメカシャッタ１００の駆動の様子を示す図である。図６は、ノーマリクローズ撮像動作中のデジタルカメラ１０の動作タイムチャートである。
【００５４】
図４Ａ〜図４Ｄを用いてデジタルカメラ１０が撮影動作を行う際のメカシャッタ１００の動作について説明する。図４Ａ〜図４Ｃは、図３Ｂ〜図３Ｄにそれぞれ対応する。ノーマリクローズ撮像動作においては、図４Ｃに示す露光動作完了状態から次の撮像動作に移る際に、図４Ｄに示すように、後幕２１の開口１１からの退避と、先幕３１のセット動作とが同時に行われる。その後図４Ａに示すような、先幕３１が開口１１を覆った状態となり、次のコマの撮像を開始する。これにより、連写撮影の各コマ間において、先幕３１及び後幕２１が開口１１から退避した状態を取らない。
【００５５】
図６を用いて、ノーマリクローズ撮像動作を行う際の撮像動作のタイムチャートを説明する。なお、図５と同様の動作については、同じ番号を付与して説明を省略する。
【００５６】
使用者によりレリーズ釦５０７が押下されると（タイムＳ１００）、チャージモータ２０１が正回転（ＯＮ（＋））して前駆動を開始する（タイムＳ１００からＳ１０１）。その後、１コマ目の撮像（タイムＳ１０３からＳ１０５）を行う。撮像された画像データの読み出し動作が開始されてから（タイムＳ１０６）所定時間経過後にチャージ動作を開始する（タイムＳ２０７）。このとき、チャージモータ２０１に流す電流はタイムＳ１００のときとは逆向きとなる。これにより、チャージモータ２０１は負回転（ＯＮ（−））し、メカシャッタ１００はノーマリクローズ撮像動作を行うことができるようになる。
【００５７】
ノーマリクローズ撮像動作では、先幕３１及び後幕２１が開口１１を覆ったままセットされるので（図４Ｄ）、デジタルカメラ１０は画像データの読み出し動作と後幕・先幕セット動作とを同時に行うことができる。従って、ノーマリクローズ撮像動作では、余裕時間を短くすることができる。そして、デジタルカメラ１０は、画像データの読み出し動作が終了（タイムＳ２０９）する前に先幕３１及び後幕２１のセット動作を開始する（タイムＳ２０８）。その後、デジタルカメラ１０はノーマリオープン撮像動作時と同様に幕の安定を待ち、次のコマの撮像動作に移行する。ノーマリクローズ撮像動作では、タイムＳ２０９がタイムＳ１０２と対応している。
【００５８】
〔１−２−３．連写撮影時の表示切替動作〕
次に、図７及び図８を用いて、連写撮影時の表示切替動作について説明する。図７は、表示切替動作のフローチャートである。図８は、表示切替動作の概要図である。
【００５９】
まず、図８を用いて連写撮影時の表示切替動作の概要について説明する。本実施の形態に係るデジタルカメラ１０は使用者により高速連写を指示された際、撮影時間の短縮が可能なノーマリクローズ駆動による連写撮影を選択する。
【００６０】
使用者によりレリーズ釦５０７が押下されると（タイムＳ３０１）、デジタルカメラ１０は撮影を開始する。このとき、連写撮影の１コマが撮像される毎に、その撮像動作の後にアフタービュー（Ａｆｔｅｒ  Ｖｉｅｗ：ＡＶ）画像をモニタ５０２に表示する。連写撮影により撮像された画像データは、一度、バッファ３００に格納された後、メモリカード５０５に保存される。メモリカード５０５に保存された画像データは、バッファ３００から削除される。このとき、メモリカード５０５に保存されるのに要する時間は、バッファ３００に格納されるのに要する時間に比べて長い。従って、ある枚数撮像したときに、メモリカード５０５への保存が追い付かずにバッファ３００のデータ容量がフルになってしまうことが考えられる。ここで、バッファ３００のデータ容量がフルになるとは、空き容量（残容量）が全く無い場合だけでなく、１コマ分の画像データを保存するための容量が無い場合も含む概念である。
【００６１】
バッファ３００のデータ容量がフルとなってしまうと、撮像により得られた画像データを格納する空き容量がないので、デジタルカメラ１０はこれ以上撮像できない状態となる。このとき、メモリカード５０５に画像データが保存されるのを待ってバッファ３００に空き容量を確保し、次の撮像を行う必要が生じる。そのため、デジタルカメラ１０は、バッファ３００の空き容量を確保するための時間分撮像動作を待機する。結果、連写撮影のコマ速が低下する。以下では、このように撮像動作を待機することで連写コマ速を低下させることを、連写にブレーキをかける、を称することとする。
【００６２】
上述したように、バッファ３００がフルになることに起因して連写撮影のコマ速が低下した場合、ノーマリクローズ撮像動作を行う必要性がなくなる。また、連写撮影のコマ速が低下すると、モニタ５０２に表示されるＡＶ画像とＡＶ画像の間の時間間隔が長くなってしまい、被写体を捉えることが困難になるなど、使用者にとって使い勝手が悪い。従って、本実施の形態におけるデジタルカメラ１０は、バッファ３００がフルになると、ノーマリクローズ駆動からノーマリオープン駆動に撮像動作に切り替える。ノーマリオープン駆動に切り替えることにより、メカシャッタ１００は連写撮影の各コマ間において先幕３１及び後幕２１が開口１１から退避した状態をとるので、ＬＶ画像の表示を行うことができる。
【００６３】
図８において、タイムＳ３０３のときにバッファ３００がフルになったとする。すると、デジタルカメラ１０は、撮像動作をノーマリオープン駆動に切り替える。バッファ３００がフルなので、デジタルカメラ１０はバッファ３００の空き容量が確保できるまで待機し、その後撮像する。撮像動作中はＬＶ画像の表示ができないので、モニタ５０２にはブラックアウト（Ｂｌａｃｋ  Ｏｕｔ：ＢＯ）画像を表示する。また、次の待機動作中にＬＶ画像を表示する。このようにすることで、本実施の形態におけるデジタルカメラ１０は、連写コマ速が低下しても、実際の被写体の様子とモニタ５０２に表示される画像との間の時間的なかい離を抑制することができる。
【００６４】
連写撮影時の表示切替動作について、図７を用いてより詳細に説明する。デジタルカメラ１０が連写モードに設定されていると、デジタルカメラ１０は、使用者によりレリーズ釦５０７が押下されるか否かを監視する（ステップＴ１００）。レリーズ釦５０７が押下されると（ステップＴ１００におけるＹｅｓ）、デジタルカメラ１０はノーマリクローズ撮像動作を行う（ステップＴ１０１）。撮像された画像データは、一度、バッファ３００に格納される（ステップＴ１０２）。画像データがバッファ３００に格納されると、ＣＰＵ５０３は、画像データのメモリカード５０５への書き込み動作を行う（ステップＴ１０３）。メモリカード５０５への書き込み動作とともに、ＣＰＵ５０３は、バッファ３００に格納された画像データをモニタ５０２にＡＶ画像として表示する（ステップＴ１０４）。その後、レリーズ釦５０７が押下され続けているかを監視する（ステップＴ１０５）。レリーズ釦５０７の押下が解除されていると（ステップＴ１０５におけるＮｏ）、デジタルカメラ１０は、使用者による次の撮影指示を待つ。
【００６５】
レリーズ釦５０７が押下されていると（ステップＴ１０５におけるＹｅｓ）、ＣＰＵ５０３は、バッファ３００がフルであるか否かを監視する（ステップＴ１０６）。バッファ３００がフルでないとき（ステップＴ１０６におけるＮｏ）、ＣＰＵ５０３は、再度ノーマリクローズ撮像動作を行う（ステップＴ１０１）。バッファ３００がフルであるとき（ステップＴ１０６におけるＹｅｓ）、デジタルカメラ１０は、ノーマリオープン撮像動作を行う（ステップＴ１０７）。このとき、モニタ５０２にはＢＯ画像が表示される。また、このとき、図示していないが、バッファ３００に十分な空き容量が確保されるまで待機する。撮像された画像データは、バッファ３００に一時保存される（ステップＴ１０８）。その後、ノーマリクローズ撮像動作時と同様に、メモリカード５０５への書き込み（ステップＴ１０９）が行われる。メモリカード５０５への書き込みと共に、ＣＰＵ５０３は、ＣＭＯＳセンサ５０１により生成される画像データをもとにＬＶ画像をモニタ５０２に表示する（ステップＴ１１０）。
【００６６】
〔１−３．効果等〕
以上説明したように、本実施の形態に係るデジタルカメラ１０は、バッファ３００に十分な空き容量が確保できている間はノーマリクローズ撮像動作を行って高速連写をする。また、デジタルカメラ１０は、バッファ３００がフルになると、ノーマリオープン撮像動作による低速連写を行うと共にＬＶ画像とＢＯ画像とを切り替えて表示する。このように構成することで、連写コマ速が低下しても、実際の被写体の様子とモニタ５０２に表示される画像との間の時間的なかい離を抑制することができる。すなわち、連写速度が低下しても使用者が被写体を追うことができる。
【００６７】
〔２．実施の形態２〕
図９及び図１０を用いて本開示の実施の形態２について説明する。なお、実施の形態１と同じ部分に関しては、図面の対応する箇所に同じ番号を付し、重複する説明を省略する。
【００６８】
実施の形態２におけるデジタルカメラ１０は、バッファ３００に十分な空き容量がある場合の高速連写の際においてもノーマリオープン撮像動作を行う。以下にその詳細を説明する。
【００６９】
〔２−１．動作〕
図９は、実施の形態２におけるデジタルカメラ１０の連写撮影時のフローチャートである。図１０は、実施の形態２におけるデジタルカメラ１０の連写撮影時の表示切替動作の概要を示す図である。
【００７０】
まず、図１０を用いて表示切替動作の概要について説明する。実施の形態１と異なり、デジタルカメラ１０は、バッファ３００に十分な空き容量があるような撮影開始時等においてもノーマリオープン撮像動作を行う。このとき、メカシャッタ１００は連写撮影中に、図３Ａに示すような先幕３１及び後幕２１が開口１１から退避した状態をとる。従って、デジタルカメラ１０は、モニタ５０２にＬＶ画像を表示することができる。
【００７１】
しかし、連写速度が非常に高速である場合において、各コマの撮像をする度にモニタ５０２にＬＶ画像を表示すると、使用者はＬＶ画像を十分に認識できない可能性がある。なぜなら、高速連写時において、ＬＶ画像表示可能な図３Ａの状態となっている時間が非常に短いからである。
【００７２】
そこで、本実施の形態におけるデジタルカメラ１０は、ノーマリオープン駆動で撮像していても、バッファ３００がフルになるまではモニタ５０２にＡＶ画像を表示する（図１０のタイムＳ４０２〜Ｓ４０３）。そして、デジタルカメラ１０は、タイムＳ４０３においてバッファ３００がフルとなった後は、実施の形態１と同様に待機動作を設けてＬＶ画像とＢＯ画像の表示を行う。また、デジタルカメラ１０は図３Ａに示すような、先幕３１及び後幕２１が開口１１から退避した状態で待機動作を行う。
【００７３】
図９のフローチャートに示すように、本実施の形態におけるデジタルカメラ１０の連写撮影においては、バッファ３００に十分な空き容量がある場合の撮像動作（ステップＴ２０１）とバッファ３００に十分な空き容量がない場合の撮像動作（ステップＴ２０７）が共にノーマリオープン駆動により行われる。ステップＴ２０１、Ｔ２０７以外は実施の形態１の図７に示すフローチャートと同様であるため説明を省略する。
【００７４】
〔２−２．効果等〕
以上説明したように、本実施の形態に係るデジタルカメラ１０は、バッファ３００に十分な空き容量が確保できている間は、ノーマリオープン撮像動作を行って高速連写をするとともに、モニタ５０２にＡＶ画像を表示する。また、デジタルカメラ１０は、バッファ３００がフルになると、ノーマリオープン撮像動作による低速連写を行うと共にＬＶ画像とＢＯ画像とを切り替えて表示する。このように構成することにより、連写コマ速が低下した場合には待機時間にＬＶ画像を表示させるので、使用者は被写体を適切に追うことが可能になる。
【００７５】
〔３．実施の形態３〕
図１１及び図１２を用いて本開示の実施の形態３について説明する。なお、実施の形態１及び２と同じ部分に関しては、図面の対応する箇所に同じ番号を付し、重複する説明を省略する。
【００７６】
〔３−１．動作〕
図１１は、バッファ３００の空き容量の概要を示す図である。本実施の形態におけるデジタルカメラ１０は、バッファ３００の空き容量に応じて連写時の表示切替動作を行う。
【００７７】
連写撮影によって順次得られる画像データは、都度、バッファ３００に格納される。最初の一枚目の撮影により得られた画像データがバッファ３００に格納されるまでは、バッファ３００内の画像データを格納するディレクトリは空である。即ち、図１１に示すバッファ保存量はゼロ（０）である。
【００７８】
連写撮影が開始されると、図１１の矢印に示すように、バッファ３００に画像データが順次格納されていく。このとき、バッファ３００に一旦格納された画像データは、順次、メモリカード５０５に保存されていく。しかし、画像データがメモリカード５０５に保存されるのに要する時間は、画像データがバッファ３００に格納されるのに要する時間より長いので、バッファ３００の保存量は次第に多くなっていくことがある。
【００７９】
本実施の形態におけるデジタルカメラ１０は、バッファ３００の保存量が所定の閾値Ｂ１より多くなると、連写撮影にブレーキをかけてコマ速を低下させ、モニタ５０２に表示させる画像を切り替える。具体的な切替動作については後述する。
【００８０】
連写撮影にブレーキをかけてコマ速を低下させた状態でさらに連写撮影を継続して行うと、次第にバッファ３００に格納される画像データのデータ量が減少することがある。これは、メモリカード５０５への保存に要する時間よりも長い時間連写撮影にブレーキをかけることで実現できる。
【００８１】
本実施の形態におけるデジタルカメラ１０は、バッファ３００の保存量が所定の閾値Ｂ２より少なくなると、連写撮影のブレーキを解除し、モニタ５０２に表示させる画像を再び切り替える。具体的な切替動作については後述する。
【００８２】
なお、図１１に示すように、閾値Ｂ１は閾値Ｂ２よりも大きい方が好ましい。閾値Ｂ２の方が閾値Ｂ１より大きい値であると、バッファ保存量が閾値Ｂ２を下回り、撮影動作のブレーキを解除した後、再度ブレーキを掛ける判定を行うためにはバッファ保存量が閾値Ｂ１を下回っている必要がある。すると、閾値Ｂ１を下回らずにバッファ保存量がフルになってしまい、撮影を継続できない状態となる可能性がある。
【００８３】
次に図１２を用いて、本実施の形態におけるデジタルカメラ１０の連写撮影時の表示切替動作について説明する。図１２のステップＴ１０５までは、図９と同様の動作を行うものとして、説明を省略する。
【００８４】
ＣＰＵ５０３は、レリーズ釦５０７の押下操作を受け付けると、バッファ３００の保存量が所定の閾値Ｂ１以上であるかを検知する（ステップＴ３０６）。バッファ３００の保存量が所定の閾値Ｂ１以上でないとき（ステップＴ３０６におけるＮｏ）、ＣＰＵ５０３は、ステップＴ２０１に戻って撮影動作を継続する。
【００８５】
バッファ３００の保存量が所定の閾値Ｂ１以上であるとき（ステップＴ３０６におけるＹｅｓ）、ＣＰＵ５０３は次のコマの撮像動作と共に、モニタ５０２にＢＯ画像を表示する（ステップＴ３０７）。このとき、図示していないが、バッファ３００に十分な空き容量が確保されるまで待機する。撮像された画像データは、バッファ３００に一時保存される（ステップＴ３０８）。その後、メモリカード５０５への書き込み（ステップＴ３０９）が行われる。メモリカード５０５への書き込みと共に、ＣＰＵ５０３は、ＣＭＯＳセンサ５０１により生成される画像データをもとにＬＶ画像をモニタ５０２に表示する（ステップＴ３１０）。
【００８６】
メモリカード５０５への書き込みが終了すると、ＣＰＵ５０３は、バッファ３００の保存量が閾値Ｂ２以下であるかを検出する（ステップＴ３１１）。バッファ３００の保存量が閾値Ｂ２以下でないとき（ステップＴ３１１におけるＮｏ）、ＣＰＵ５０３は、レリーズ釦５０７が押下されているかを検知する（ステップＴ３１２）。レリーズ釦５０７が押下されていると（ステップＴ３１２におけるＹｅｓ）、ＣＰＵ５０３はステップＴ３０７に示す動作を行う。レリーズ釦５０７が押下されていないとき（ステップＴ３１２におけるＮｏ）、ＣＰＵ５０３は、ステップＴ１００に戻り、次の撮影指示を待つ。
【００８７】
バッファ３００の保存量が閾値Ｂ２以下であるとき（ステップＴ３１１におけるＹｅｓ）、即ち、バッファ３００に十分な空き容量が確保されていると判断するとき、ＣＰＵ５０３は、レリーズ釦５０７が押下されているかを検知する（ステップＴ３１３）。レリーズ釦５０７が押下されている時（ステップＴ３１３におけるＹｅｓ）、ＣＰＵ５０３はステップＴ２０１に示す撮像動作を行う。レリーズ釦５０７が押下されていないとき（ステップＴ３１３におけるＮｏ）、ＣＰＵ５０３は、ステップＴ１００に戻り、次の撮影指示を待つ。
【００８８】
〔３−２．効果等〕
以上説明したように、本実施の形態におけるデジタルカメラ１０は、バッファ３００の保存量に閾値を設け、バッファ３００の保存量に応じて撮像動作及びモニタ５０２の表示を切り替える構成とした。このようにすることで、バッファ３００がフルになる前に撮影動作にブレーキを掛けることができるので、バッファ３００への負担を軽減することができる。更に、バッファ３００に十分な空き容量が確保されるまで撮影動作のブレーキを解除しないので、不必要な表示切替の頻度を軽減することができる。
【００８９】
なお、本実施の形態において、バッファ３００の保存量の閾値Ｂ１が閾値Ｂ２より大きい量となるように構成したが、本開示はこれに限定されるものではない。閾値Ｂ１が閾値Ｂ２より小さい値として切替条件を調整しても構わないし、閾値Ｂ１と閾値Ｂ２を同じ値としても構わない。
【００９０】
また、本実施の形態では、バッファ３００の保存量に対して閾値を設けたが、バッファ３００の残容量に対して閾値を設けても良い。
【００９１】
また、本実施の形態において、撮像動作は共にノーマリオープン撮像動作であるとしたが、本開示はこれに限定されるものではない。実施の形態１のようにノーマリオープン撮像動作とノーマリクローズ撮像動作とを切り替えるものとしても構わない。
【００９２】
〔４．他の実施形態〕
以上のように、本出願において開示する技術の例示として、実施の形態１〜３を説明した。しかしながら、本開示における技術は、これに限定されず、変更、置き換え、付加、省略などを行った実施の形態にも適用できる。また、上記実施の形態１〜３で説明した各構成要素を組み合わせて、新たな実施の形態とすることも可能である。そこで、以下、他の実施の形態を例示する。
【００９３】
実施の形態１〜３におけるデジタルカメラ１０は、バッファ３００の保存量がフルになる、或いは所定量を上回った場合、撮像動作中はモニタにＢＯ画像を表示するものとしたが、本開示はこれに限定されるものではない。デジタルカメラ１０は、このような場合にモニタにＡＶ画像を表示するようにしても構わないし、撮影条件などの所定のデータを表示させるようにしても構わない。または、デジタルカメラ１０は、ＬＶ画像のラストフレームの画像を表示するようにしても構わない。
【００９４】
実施の形態１〜３におけるデジタルカメラ１０は、フォーカルプレーンシャッタ機構を有するものとしたが、本開示はこれに限定されるものではない。デジタルカメラ１０は、電子先幕・メカ後幕の単幕シャッタを用いても構わない。また、デジタルカメラ１０は、電子シャッタのみを用いても構わない。
【００９５】
実施の形態１〜３におけるデジタルカメラ１０は、バッファ３００の保存量に応じてシャッタ駆動及びモニタ表示を切り替える構成としたが、本開示はこれに限定されるものではない。チャージモータ２０１が熱を帯びた場合や、機械的要因などにより連写の撮影速度を落とす必要が生じた場合に、モニタ表示を切り替えるようにしても構わない。
【００９６】
実施の形態１〜３では、レンズ交換式のデジタルカメラ１０であるとしたが、本開示はこれに限定されるものではない。レンズ一体式のデジタルカメラや、スマートフォンなどを用いるようにしても構わない。
【産業上の利用可能性】
【００９７】
本開示は、連写可能な撮像装置、特にデジタルカメラ、スマートフォンなどに適用可能である。
【符号の説明】
【００９８】
１０  デジタルカメラ
１１  開口
２１  後幕
２６  後幕用電磁石
３１  先幕
３６  先幕用電磁石
８５  シャッタ駆動機構
１００  メカシャッタ
２００  チャージブロック
２０１  チャージモータ
３００  バッファ
４００  ポジションセンサ
５０１  ＣＭＯＳセンサ
５０２  モニタ
５０３  ＣＰＵ
５０４  スロット
５０５  メモリカード
５０６  電源
５０７  レリーズ釦
６００  交換レンズ
７００  カメラボディ
【図１】
2015146004.tif 000003
【図２Ａ】
2015146004.tif 000004
【図２Ｂ】
2015146004.tif 000005
【図３Ａ】
2015146004.tif 000006
【図３Ｂ】
2015146004.tif 000007
【図３Ｃ】
2015146004.tif 000008
【図３Ｄ】
2015146004.tif 000009
【図４Ａ】
2015146004.tif 000010
【図４Ｂ】
2015146004.tif 000011
【図４Ｃ】
2015146004.tif 000012
【図４Ｄ】
2015146004.tif 000013
【図５】
2015146004.tif 000014
【図６】
2015146004.tif 000015
【図７】
2015146004.tif 000016
【図８】
2015146004.tif 000017
【図９】
2015146004.tif 000018
【図１０】
2015146004.tif 000019
【図１１】
2015146004.tif 000020
【図１２】
2015146004.tif 000021
【手続補正書】
【提出日】平成28年8月25日(2016.8.25)
【手続補正１】
【補正対象書類名】明細書
【補正対象項目名】全文
【補正方法】変更
【補正の内容】
【発明の詳細な説明】
【技術分野】
【０００１】
本開示は、連写撮影可能な撮像装置のシャッタ駆動に関する。
【背景技術】
【０００２】
特許文献１には、チャージモータの回転方向を切り換えることでノーマリオープン駆動、ノーマリクローズ駆動を切り替えるシャッタ機構が開示されている。
【先行技術文献】
【特許文献】
【０００３】
【特許文献１】国際公開第２０１３／０２７４２０号
【発明の概要】
【０００４】
本開示は、一連の連写撮影時において連写速度が低下した際に好適な表示をすることが可能な撮像装置の提供を目的とする。
【０００５】
本開示における撮像装置は、被写体を撮像して画像データを生成する撮像部と、撮像部により得られた画像データを記録する記録部と、撮像部により得られた画像データのリアルタイム動画像であるライブビュー画像と、記録部に記録される静止画像であるアフタービュー画像と、を表示可能な表示部と、撮像部及び表示部を制御する制御部と、を備える。制御部は、撮像部に第１周期で連続的に撮像動作を行わせた後、第１周期よりも長い第２周期で撮像部に連続的に撮像動作を行わせ、撮像部が第１周期で撮像動作を行っているときは表示部に第１表示状態を取らせる一方、撮像部が第２周期で撮像動作を行っているときは表示部に第１表示状態とは異なる第２表示状態を取らせる。
【０００６】
本開示によれば、一連の連写撮影時において連写速度が低下した際に好適な表示をすることが可能な撮像装置を提供することができる。
【図面の簡単な説明】
【０００７】
【図１】実施の形態１におけるデジタルカメラの電気構成図
【図２Ａ】実施の形態１におけるメカシャッタとチャージブロックの構成図
【図２Ｂ】実施の形態１におけるメカシャッタの構成図
【図３Ａ】実施の形態１におけるメカシャッタのノーマリオープン駆動時の概略図
【図３Ｂ】実施の形態１におけるメカシャッタのノーマリオープン駆動時の概略図
【図３Ｃ】実施の形態１におけるメカシャッタのノーマリオープン駆動時の概略図
【図３Ｄ】実施の形態１におけるメカシャッタのノーマリオープン駆動時の概略図
【図４Ａ】実施の形態１におけるメカシャッタのノーマリクローズ駆動時の概略図
【図４Ｂ】実施の形態１におけるメカシャッタのノーマリクローズ駆動時の概略図
【図４Ｃ】実施の形態１におけるメカシャッタのノーマリクローズ駆動時の概略図
【図４Ｄ】実施の形態１におけるメカシャッタのノーマリクローズ駆動時の概略図
【図５】実施の形態１におけるデジタルカメラのノーマリオープン撮像動作のタイムチャート
【図６】実施の形態１におけるデジタルカメラのノーマリクローズ撮像動作のタイムチャート
【図７】実施の形態１におけるデジタルカメラの動作フローチャート
【図８】実施の形態１におけるデジタルカメラの表示態様を示す概略図
【図９】実施の形態２におけるデジタルカメラの動作フローチャート
【図１０】実施の形態２におけるデジタルカメラの表示態様を示す概略図
【図１１】実施の形態３におけるバッファの保存量を示す概要図
【図１２】実施の形態３におけるデジタルカメラの動作フローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより請求の範囲に記載の主題を限定することは意図されていない。
【００１０】
〔１．実施の形態１〕
以下、図１〜図８を用いて実施の形態１に係るデジタルカメラ１０について説明する。デジタルカメラ１０は、撮像装置の一例である。
【００１１】
〔１−１．構成〕
〔１−１−１．デジタルカメラの構成〕
以下、図１、図２Ａ及び図２Ｂを用いて実施の形態１に係るデジタルカメラ１０の構成を説明する。
【００１２】
図１は、デジタルカメラ１０の電気的構成の要部を示す図である。デジタルカメラ１０は、交換レンズ６００と、カメラボディ７００とを含む。カメラボディ７００は、メカシャッタ１００、チャージブロック２００、バッファ３００、ポジションセンサ４００、ＣＭＯＳセンサ５０１、モニタ５０２、ＣＰＵ５０３、メモリカード５０５を挿入するスロット５０４、電源５０６、レリーズ釦５０７を含む。
【００１３】
交換レンズ６００は、カメラボディ７００に着脱可能なレンズである。交換レンズ６００は、ズームレンズ、フォーカスレンズ、手振れ補正レンズ、絞りなどの光学系を有する。交換レンズは、光学系を駆動する駆動部を有する。
【００１４】
バッファ３００は、図示しない画像処理部やＣＰＵ５０３のワークメモリとして機能する。例えば、バッファ３００は、ＣＭＯＳセンサ５０１により撮像された画像データを一時的に保存する。バッファ３００は、ＤＲＡＭ、強誘電体メモリなどで実現でき、記録部の一例である。
【００１５】
ポジションセンサ４００は、メカシャッタ１００の先幕及び後幕が所定の位置に移動したことを検出できる位置に配置されている。ポジションセンサ４００は、フォトインタラプタなどで実現可能である。
【００１６】
ＣＭＯＳセンサ５０１は、撮像素子の一例である。ＣＭＯＳセンサ５０１は、交換レンズ６００により形成される被写体の光学像から光電変換により画像データを生成する。ＣＭＯＳセンサ５０１は、静止画データおよび動画データの取得を行うことができる。取得された動画データは、ライブビュー（Ｌｉｖｅ  Ｖｉｅｗ：ＬＶ）画像の表示にも用いられる。
【００１７】
モニタ５０２は、ＣＭＯＳセンサ５０１から得られた画像データを表示する。また、モニタ５０２は、画像データと共にデジタルカメラ１０の撮影条件、操作メニュー等を表示することもできる。モニタ５０２は、液晶ディスプレイなどで実現できる。
【００１８】
ＣＰＵ５０３は、デジタルカメラ１０全体を制御する。また、ＣＰＵ５０３は、撮影に必要な情報等を記録する内部メモリを含む。ＣＰＵ５０３は、ハードワイヤードな電子回路で構成してもよいし、マイクロコンピュータなどで構成してもよい。
【００１９】
スロット５０４は、メモリカード５０５を着脱可能である。スロット５０４は、ＣＰＵ５０３から送信される制御信号に基づいて、メモリカード５０５を制御する。具体的には、スロット５０４は、メモリカード５０５に画像データを格納することができる。また、スロット５０４はメモリカード５０５から画像データを出力することができる。
【００２０】
電源５０６は、デジタルカメラ１０全体の稼働に必要な電力を供給する。電源５０６は、例えば、乾電池であってもよいし、充電池であってもよい。また、電源５０６は、電源コードにより外部から供給される電力をデジタルカメラ１０に供給するものであってもよい。
【００２１】
レリーズ釦５０７は、二段式の操作釦である。使用者がレリーズ釦５０７を半押し操作すると、ＣＰＵ５０３は画像の所定の位置において合焦処理を行う。使用者がレリーズ釦５０７を全押し操作すると、ＣＰＵ５０３はメカシャッタ１００を駆動してＣＭＯＳセンサ５０１への露光を制御する。その後、ＣＰＵ５０３は画像データをメモリカード５０５に格納する。デジタルカメラ１０が連写モードに設定されているとき、使用者がレリーズ釦５０７を押下（全押し）している間、所定の時間間隔で画像データを記録し続ける。
【００２２】
〔１−１−２．シャッタ部の構成〕
図２Ａは、メカシャッタ１００とチャージブロック２００の構成図である。図２Ｂは、メカシャッタ１００を被写体側から見た模式図である。
【００２３】
メカシャッタ１００は、先幕３１及び後幕２１を有する一般的なフォーカルプレーンシャッタである。メカシャッタ１００は、開口１１を有するベース部材、先幕３１、後幕２１等を備えている。
【００２４】
開口１１は、メカシャッタ１００に設けられた、光を通す穴である。メカシャッタ１００を被写体側から見ると、開口１１の先にＣＭＯＳセンサ５０１が配置されている。
【００２５】
後幕２１はメカシャッタ１００内に上下方向に移動可能に配置されている。後幕２１はシャッタ駆動機構８５により上下方向に移動可能に支持されている。また、先幕３１はメカシャッタ１００内に上下方向に移動可能に配置されている。先幕３１はシャッタ駆動機構８５により上下方向に移動可能に支持されている。本実施の形態では、後幕２１が開口１１の上方に退避し、先幕３１が開口１１の下方に退避するが、後幕２１および先幕３１の配置が逆であってもよい。
【００２６】
後幕用電磁石２６は、電磁石である。後幕用電磁石２６は、通電状態と非通電状態とを取る。後幕用電磁石２６は、後幕２１の一端を吸着保持する際に通電状態となる。後幕用電磁石２６が非通電状態であるとき、後幕２１の一端は後幕用電磁石２６に吸着されない。後幕用電磁石２６は、通電状態と非通電状態とを切り換えることで後幕２１の保持状態を制御する。
【００２７】
先幕用電磁石３６は、電磁石である。先幕用電磁石３６は、通電状態と非通電状態とを取る。先幕用電磁石３６は、先幕３１の一端を吸着保持する際に通電状態となる。先幕用電磁石３６が非通電状態であるとき、先幕３１の一端は先幕用電磁石３６に吸着されない。先幕用電磁石３６は、通電状態と非通電状態とを切り換えることで先幕３１の保持状態を制御する。
【００２８】
チャージブロック２００は、シャッタ駆動機構８５、チャージモータ２０１、フレキシブルケーブル８００を有する。
【００２９】
シャッタ駆動機構８５はメカシャッタ１００に対して後幕２１および先幕３１を移動可能に支持している。シャッタ駆動機構８５は、図示しない先幕走行バネ、先幕セットバネ、後幕走行バネ、後幕セットバネおよび駆動レバーを有している。先幕走行バネは後幕２１を上方に走行させるための弾性力を後幕２１に付与する。先幕セットバネは後幕２１を下方に走行させるための弾性力を後幕２１に付与する。先幕走行バネの弾性力は先幕セットバネの弾性力よりも大きいので、先幕セットバネの弾性力に逆らって後幕２１は上方に走行することができる。後幕走行バネは先幕３１を上方に走行させるための付勢力を先幕３１に付与する。駆動レバーは、チャージブロック２００に対して回転可能に支持されている。駆動レバーを駆動すると、先幕走行バネおよび後幕走行バネが圧縮されて、後幕２１および先幕３１を走行させるための弾性力がチャージされる。上述したチャージ動作は、チャージモータ２０１を巻き上げることにより行われる。
【００３０】
チャージモータ２０１は、シャッタ駆動機構８５に駆動力を与える。チャージモータ２０１に備えられたギア（不図示）は、シャッタ駆動機構８５内のギア（不図示）と噛み合う。チャージモータ２０１を巻き上げることで、シャッタ駆動機構８５のチャージ動作が行われる。チャージモータ２０１は例えば直流モータで実現できる。チャージモータ２０１は、ＣＰＵ５０３により制御される。
【００３１】
フレキシブルケーブル８００は、回路パターンが構成されている。フレキシブルケーブル８００は、ＣＰＵ５０３やポジションセンサ４００等と接続されている。フレキシブルケーブル８００は、可撓性に優れたフレキシブルプリント基板（ＦＰＣ）などで実現できる。
【００３２】
なお、交換レンズ６００及びＣＭＯＳセンサ５０１は、撮像部の一例である。モニタ５０２は、表示部の一例である。ＣＰＵ５０３は、制御部の一例である。メカシャッタ１００は、シャッタ機構の一例である。
【００３３】
〔１−２．動作〕
本実施の形態に係るデジタルカメラ１０は、チャージモータ２０１の回転方向を切り換えることでノーマリオープン撮像動作とノーマリクローズ撮像動作とを切り替えることができる。具体的には、チャージモータ２０１が正回転すると、シャッタ駆動機構８５はノーマリオープン撮像動作を行うように先幕３１及び後幕２１を駆動する。チャージモータ２０１が負回転すると、シャッタ駆動機構８５はノーマリクローズ撮像動作をするように先幕３１及び後幕２１を駆動する。
【００３４】
ノーマリオープン撮像動作とは、連写撮影時において、撮像動作を行うための準備動作中に先幕３１及び後幕２１が開口１１から退避した状態を取る撮像動作である。ノーマリクローズ撮像動作とは、連写撮影時において、撮像動作を行うための準備動作中に先幕３１及び後幕２１が開口１１から退避した状態を取らない撮像動作である。詳しくは以下で説明する。
【００３５】
〔１−２−１．ノーマリオープン撮像動作〕
図３Ａ〜図３Ｄ及び図５を用いて、ノーマリオープン撮像動作について説明する。図３Ａ〜図３Ｄは、ノーマリオープン撮像動作中のメカシャッタ１００の駆動の様子を示す図である。図５は、ノーマリオープン撮像動作中のデジタルカメラ１０の動作タイムチャートである。
【００３６】
図３Ａ〜図３Ｄを用いてデジタルカメラ１０が撮影動作を行う際のメカシャッタ１００の動作について説明する。デジタルカメラ１０が撮影モードであるとき、使用者によるレリーズ釦の押下操作を受け付けるまでは、後幕２１、先幕３１は、共に開口１１から退避した状態で保持される（図３Ａ）。このとき、メカシャッタ１００は図３Ａに示す状態となり、開口１１から進入した光はＣＭＯＳセンサ５０１で結像される。
【００３７】
使用者がレリーズ釦５０７を全押し操作（ＯＮ）すると、先幕３１が開口１１を覆う（図３Ｂ）。これにより、デジタルカメラ１０はＣＭＯＳセンサ５０１に光が届かない状態となる。先幕３１が開口１１を覆う際の機械的動作が安定した後、先幕３１及び後幕２１が走行する。このとき、図３Ｃに示すように後幕２１は先幕３１と隙間を開けて、先幕３１を追うように走行する。なお、露光時間が所定時間より長く設定されているときは、先幕３１の走行が終了してから所定時間後に後幕２１が走行する。ＣＭＯＳセンサ５０１は、先幕３１と後幕２１の隙間から被写体像を取り込む。
【００３８】
走行動作が完了すると、後幕２１が開口１１を覆うように保持される（図３Ｄ）。これにより、デジタルカメラ１０はＣＭＯＳセンサ５０１に光が届かない状態となる。このとき、ＣＰＵ５０３はＣＭＯＳセンサ５０１から画像データを取り込む。デジタルカメラ１０は、画像データの取り込みが終了してから再度撮像可能な状態へ移行する。デジタルカメラ１０が連写モードに設定されている時、使用者がレリーズ釦５０７を押下操作している間、上記動作を繰り返す。
【００３９】
以上説明したように、ノーマリオープン撮像動作では、連写撮影を行う度に図３Ａに示すような、開口１１から先幕３１及び後幕２１が退避した状態を取る。
【００４０】
図５を用いて、ノーマリオープン撮像動作を行う際のタイムチャートを説明する。デジタルカメラ１０が連写モードであるとき、メカシャッタ１００は開いた状態で、使用者からのレリーズ釦５０７の押下を待つ。このとき、デジタルカメラ１０はＣＭＯＳセンサ５０１により得られるＬＶ画像をモニタ５０２に表示する（タイムＳ０００）。
【００４１】
使用者がレリーズ釦５０７を押下すると、先幕用電磁石３６及び後幕用電磁石２６が通電状態（ＯＮ）となる（タイムＳ１００）。また、タイムＳ１００でチャージモータ２０１も通電状態（ＯＮ）となる。
【００４２】
チャージモータ２０１が通電状態となると、チャージモータ２０１はシャッタ駆動機構８５のチャージを開始する（前駆動）。シャッタ駆動機構８５のチャージが完了すると（タイムＳ１０１）、シャッタ駆動機構８５は先幕３１を駆動し、図３Ｂの状態にセットする（先幕セット）。
【００４３】
先幕セットが完了すると（タイムＳ１０２）、チャージモータ２０１はショートブレーキ（ＳＢ）を行う。先幕３１をセットする際に、先幕３１は、バネを含むシャッタ駆動機構８５により駆動されるので、先幕セットが完了した後も微小振動する。この微小振動が次の動作に影響を与える可能性があるので、先幕３１をセットし終えた後、先幕３１が安定するまで所定時間待機する（安定待ち１）。ここで所定時間とは、先幕３１の微小振動が減衰するのに十分な時間であり、デジタルカメラ１０に予め決められた時間である。
【００４４】
先幕３１が安定すると、ＣＰＵ５０３は先幕用電磁石３６への通電を解除（ＯＦＦ）する（タイムＳ１０３）。先幕用電磁石３６への通電が解除されると、先幕３１の吸着保持状態が解除され、シャッタ駆動機構８５によって開口１１から退避する。
【００４５】
所定時間（シャッタスピード）経過後、ＣＰＵ５０３は後幕用電磁石２６への通電を解除（ＯＦＦ）する（タイムＳ１０４）。後幕用電磁石２６への通電が解除されると、後幕２１の吸着保持状態が解除され、シャッタ駆動機構８５によって後幕２１が開口１１を塞ぐ（タイムＳ１０５）。
【００４６】
タイムＳ１０３からＳ１０５までの間、開口１１は図３Ｃに示すように一部が先幕３１及び後幕２１に覆われていない状態となる（露光）。この部分でＣＭＯＳセンサ５０１に光が取り込まれる。本実施の形態では、タイムＳ１０３からＳ１０５までに要する時間を露光時間と呼ぶこととする。露光時間は、先幕３１の走行が開始してから、後幕２１の走行が終了するまでの時間を指す。露光時間は、使用者の設定等により決定されるシャッタスピードと、先幕３１及び後幕２１の走行速度と、によって決定される。なお、シャッタスピードとは、通常、先幕３１の走行が開始してから後幕２１の走行が開始するまでの時間（タイムＳ１０３〜Ｓ１０４）を指す。
【００４７】
先幕３１が完全に開口１１から退避し、かつ、後幕２１が開口１１を完全に塞ぐと（タイムＳ１０５）、図３Ｄに示すように開口１１が後幕２１によって塞がれた状態となる。このとき、ＣＭＯＳセンサ５０１へ進入する光は後幕２１によって遮断される。タイムＳ１０３からＳ１０５の露光動作の際に、先幕３１及び後幕２１は共にバネを含むシャッタ駆動機構８５によって駆動される。従って、露光動作が終了した後も先幕３１及び後幕２１は微小振動する。この微小振動が後の動作に影響を与える可能性があるので、先幕３１及び後幕２１が安定するまで所定時間待機する（安定待ち２）。ここで所定時間とは、先幕３１及び後幕２１が安定するのに十分な時間であり、デジタルカメラ１０により予め決められている時間である。
【００４８】
先幕３１及び後幕２１が安定すると、ＣＰＵ５０３はＣＭＯＳセンサ５０１から画像データの読み出し（ＯＮ）を行う（タイムＳ１０６）。画像データの読み出しと並行して、所定時間（余裕時間）経過後に、次のコマの撮像に備えてチャージモータ２０１によりシャッタ駆動機構８５がチャージ（ＯＮ）される（タイムＳ１０７）。タイムＳ１０６からＳ１０７の余裕時間については後述する。ここで、チャージに要する時間はチャージモータ２０１がシャッタ駆動機構８５をチャージする際の機械的要因により決定される時間である。
【００４９】
チャージ動作と連動して、ＣＰＵ５０３は、先幕用電磁石３６及び後幕用電磁石２６を通電させる。また、シャッタ駆動機構８５は、後幕２１を開口１１から退避させる（タイムＳ１０８）。後幕２１が開口１１から退避すると、後幕２１は後幕用電磁石２６に吸着保持される。そして、シャッタ駆動機構８５は、開口１１を覆うように先幕３１のセットを開始する（タイムＳ１０９）。先幕３１のセットが完了すると（タイムＳ１１０）、先幕３１は先幕用電磁石３６に吸着保持される。後幕２１及び先幕３１のセットが完了すると、チャージモータ２０１にショートブレーキをかけて後幕２１及び先幕３１が安定するのを待つ。即ち、タイムＳ１１０はタイムＳ１０２と対応している。後幕２１をセットする動作（タイムＳ１０８からＳ１０９）は、実際にはチャージ動作と連動して行われる。
【００５０】
ここで、余裕時間（タイムＳ１０６からＳ１０７）について説明する。上述したように、チャージ時間とは機械的要因により決定される時間である。また、メカシャッタ１００のシーケンスは、画像データの読み出しとは関係を持たずに行われている。即ち、メカシャッタ１００は画像データの読み出し動作が終了したか否かに依らず、チャージが終了すれば後幕２１のセットを開始する。このとき、画像データの読み出しが終了する前にチャージが終了して後幕セットが開始されてしまうと、画像データの読み出し中にＣＭＯＳセンサ５０１が光を検出してしまう。すると、読み出し中の画像データが乱れてしまう可能性がある。
【００５１】
余裕時間はこのような状況を防ぐために設定されている。画像データの読み出しに要する時間は、画像データの形式によって決まっているため、余裕時間とチャージ時間を足した時間（タイムＳ１０６からＳ１０８）の間に画像データの読み出しが終了するように、ＣＰＵ５０３は余裕時間を決定する。
【００５２】
上述したように、ノーマリオープン撮像動作では、連写撮影の各コマの間で、先幕３１及び後幕２１が開口１１から退避した状態を有する（タイムＳ１０９）。先幕３１及び後幕２１が開口１１から退避した状態を経て先幕３１をセットし、次のコマの撮像動作に移る。
【００５３】
〔１−２−２．ノーマリクローズ撮像動作〕
図４Ａ〜図４Ｄ及び図６を用いて、ノーマリクローズ撮像動作について説明する。図４Ａ〜図４Ｄは、ノーマリクローズ撮像動作中のメカシャッタ１００の駆動の様子を示す図である。図６は、ノーマリクローズ撮像動作中のデジタルカメラ１０の動作タイムチャートである。
【００５４】
図４Ａ〜図４Ｄを用いてデジタルカメラ１０が撮影動作を行う際のメカシャッタ１００の動作について説明する。図４Ａ〜図４Ｃは、図３Ｂ〜図３Ｄにそれぞれ対応する。ノーマリクローズ撮像動作においては、図４Ｃに示す露光動作完了状態から次の撮像動作に移る際に、図４Ｄに示すように、後幕２１の開口１１からの退避と、先幕３１のセット動作とが同時に行われる。その後図４Ａに示すような、先幕３１が開口１１を覆った状態となり、次のコマの撮像を開始する。これにより、連写撮影の各コマ間において、先幕３１及び後幕２１が開口１１から退避した状態を取らない。
【００５５】
図６を用いて、ノーマリクローズ撮像動作を行う際の撮像動作のタイムチャートを説明する。なお、図５と同様の動作については、同じ番号を付与して説明を省略する。
【００５６】
使用者によりレリーズ釦５０７が押下されると（タイムＳ１００）、チャージモータ２０１が正回転（ＯＮ（＋））して前駆動を開始する（タイムＳ１００からＳ１０１）。その後、１コマ目の撮像（タイムＳ１０３からＳ１０５）を行う。撮像された画像データの読み出し動作が開始されてから（タイムＳ１０６）所定時間経過後にチャージ動作を開始する（タイムＳ２０７）。このとき、チャージモータ２０１に流す電流はタイムＳ１００のときとは逆向きとなる。これにより、チャージモータ２０１は負回転（ＯＮ（−））し、メカシャッタ１００はノーマリクローズ撮像動作を行うことができるようになる。
【００５７】
ノーマリクローズ撮像動作では、先幕３１及び後幕２１が開口１１を覆ったままセットされるので（図４Ｄ）、デジタルカメラ１０は画像データの読み出し動作と後幕・先幕セット動作とを同時に行うことができる。従って、ノーマリクローズ撮像動作では、余裕時間を短くすることができる。そして、デジタルカメラ１０は、画像データの読み出し動作が終了（タイムＳ２０９）する前に先幕３１及び後幕２１のセット動作を開始する（タイムＳ２０８）。その後、デジタルカメラ１０はノーマリオープン撮像動作時と同様に幕の安定を待ち、次のコマの撮像動作に移行する。ノーマリクローズ撮像動作では、タイムＳ２０９がタイムＳ１０２と対応している。
【００５８】
〔１−２−３．連写撮影時の表示切替動作〕
次に、図７及び図８を用いて、連写撮影時の表示切替動作について説明する。図７は、表示切替動作のフローチャートである。図８は、表示切替動作の概要図である。
【００５９】
まず、図８を用いて連写撮影時の表示切替動作の概要について説明する。本実施の形態に係るデジタルカメラ１０は使用者により高速連写を指示された際、撮影時間の短縮が可能なノーマリクローズ駆動による連写撮影を選択する。
【００６０】
使用者によりレリーズ釦５０７が押下されると（タイムＳ３０１）、デジタルカメラ１０は撮影を開始する。このとき、連写撮影の１コマが撮像される毎に、その撮像動作の後にアフタービュー（Ａｆｔｅｒ  Ｖｉｅｗ：ＡＶ）画像をモニタ５０２に表示する。連写撮影により撮像された画像データは、一度、バッファ３００に格納された後、メモリカード５０５に保存される。メモリカード５０５に保存された画像データは、バッファ３００から削除される。このとき、メモリカード５０５に保存されるのに要する時間は、バッファ３００に格納されるのに要する時間に比べて長い。従って、ある枚数撮像したときに、メモリカード５０５への保存が追い付かずにバッファ３００のデータ容量がフルになってしまうことが考えられる。ここで、バッファ３００のデータ容量がフルになるとは、空き容量（残容量）が全く無い場合だけでなく、１コマ分の画像データを保存するための容量が無い場合も含む概念である。
【００６１】
バッファ３００のデータ容量がフルとなってしまうと、撮像により得られた画像データを格納する空き容量がないので、デジタルカメラ１０はこれ以上撮像できない状態となる。このとき、メモリカード５０５に画像データが保存されるのを待ってバッファ３００に空き容量を確保し、次の撮像を行う必要が生じる。そのため、デジタルカメラ１０は、バッファ３００の空き容量を確保するための時間分撮像動作を待機する。結果、連写撮影のコマ速が低下する。以下では、このように撮像動作を待機することで連写コマ速を低下させることを、連写にブレーキをかける、を称することとする。
【００６２】
上述したように、バッファ３００がフルになることに起因して連写撮影のコマ速が低下した場合、ノーマリクローズ撮像動作を行う必要性がなくなる。また、連写撮影のコマ速が低下すると、モニタ５０２に表示されるＡＶ画像とＡＶ画像の間の時間間隔が長くなってしまい、被写体を捉えることが困難になるなど、使用者にとって使い勝手が悪い。従って、本実施の形態におけるデジタルカメラ１０は、バッファ３００がフルになると、ノーマリクローズ駆動からノーマリオープン駆動に撮像動作に切り替える。ノーマリオープン駆動に切り替えることにより、メカシャッタ１００は連写撮影の各コマ間において先幕３１及び後幕２１が開口１１から退避した状態をとるので、ＬＶ画像の表示を行うことができる。
【００６３】
図８において、タイムＳ３０３のときにバッファ３００がフルになったとする。すると、デジタルカメラ１０は、撮像動作をノーマリオープン駆動に切り替える。バッファ３００がフルなので、デジタルカメラ１０はバッファ３００の空き容量が確保できるまで待機し、その後撮像する。撮像動作中はＬＶ画像の表示ができないので、モニタ５０２にはブラックアウト（Ｂｌａｃｋ  Ｏｕｔ：ＢＯ）画像を表示する。また、次の待機動作中にＬＶ画像を表示する。このようにすることで、本実施の形態におけるデジタルカメラ１０は、連写コマ速が低下しても、実際の被写体の様子とモニタ５０２に表示される画像との間の時間的なかい離を抑制することができる。
【００６４】
連写撮影時の表示切替動作について、図７を用いてより詳細に説明する。デジタルカメラ１０が連写モードに設定されていると、デジタルカメラ１０は、使用者によりレリーズ釦５０７が押下されるか否かを監視する（ステップＴ１００）。レリーズ釦５０７が押下されると（ステップＴ１００におけるＹｅｓ）、デジタルカメラ１０はノーマリクローズ撮像動作を行う（ステップＴ１０１）。撮像された画像データは、一度、バッファ３００に格納される（ステップＴ１０２）。画像データがバッファ３００に格納されると、ＣＰＵ５０３は、画像データのメモリカード５０５への書き込み動作を行う（ステップＴ１０３）。メモリカード５０５への書き込み動作とともに、ＣＰＵ５０３は、バッファ３００に格納された画像データをモニタ５０２にＡＶ画像として表示する（ステップＴ１０４）。その後、レリーズ釦５０７が押下され続けているかを監視する（ステップＴ１０５）。レリーズ釦５０７の押下が解除されていると（ステップＴ１０５におけるＮｏ）、デジタルカメラ１０は、使用者による次の撮影指示を待つ。
【００６５】
レリーズ釦５０７が押下されていると（ステップＴ１０５におけるＹｅｓ）、ＣＰＵ５０３は、バッファ３００がフルであるか否かを監視する（ステップＴ１０６）。バッファ３００がフルでないとき（ステップＴ１０６におけるＮｏ）、ＣＰＵ５０３は、再度ノーマリクローズ撮像動作を行う（ステップＴ１０１）。バッファ３００がフルであるとき（ステップＴ１０６におけるＹｅｓ）、デジタルカメラ１０は、ノーマリオープン撮像動作を行う（ステップＴ１０７）。このとき、モニタ５０２にはＢＯ画像が表示される。また、このとき、図示していないが、バッファ３００に十分な空き容量が確保されるまで待機する。撮像された画像データは、バッファ３００に一時保存される（ステップＴ１０８）。その後、ノーマリクローズ撮像動作時と同様に、メモリカード５０５への書き込み（ステップＴ１０９）が行われる。メモリカード５０５への書き込みと共に、ＣＰＵ５０３は、ＣＭＯＳセンサ５０１により生成される画像データをもとにＬＶ画像をモニタ５０２に表示する（ステップＴ１１０）。
【００６６】
〔１−３．効果等〕
以上説明したように、本実施の形態に係るデジタルカメラ１０は、バッファ３００に十分な空き容量が確保できている間はノーマリクローズ撮像動作を行って高速連写をする。また、デジタルカメラ１０は、バッファ３００がフルになると、ノーマリオープン撮像動作による低速連写を行うと共にＬＶ画像とＢＯ画像とを切り替えて表示する。このように構成することで、連写コマ速が低下しても、実際の被写体の様子とモニタ５０２に表示される画像との間の時間的なかい離を抑制することができる。すなわち、連写速度が低下しても使用者が被写体を追うことができる。
【００６７】
〔２．実施の形態２〕
図９及び図１０を用いて本開示の実施の形態２について説明する。なお、実施の形態１と同じ部分に関しては、図面の対応する箇所に同じ番号を付し、重複する説明を省略する。
【００６８】
実施の形態２におけるデジタルカメラ１０は、バッファ３００に十分な空き容量がある場合の高速連写の際においてもノーマリオープン撮像動作を行う。以下にその詳細を説明する。
【００６９】
〔２−１．動作〕
図９は、実施の形態２におけるデジタルカメラ１０の連写撮影時のフローチャートである。図１０は、実施の形態２におけるデジタルカメラ１０の連写撮影時の表示切替動作の概要を示す図である。
【００７０】
まず、図１０を用いて表示切替動作の概要について説明する。実施の形態１と異なり、デジタルカメラ１０は、バッファ３００に十分な空き容量があるような撮影開始時等においてもノーマリオープン撮像動作を行う。このとき、メカシャッタ１００は連写撮影中に、図３Ａに示すような先幕３１及び後幕２１が開口１１から退避した状態をとる。従って、デジタルカメラ１０は、モニタ５０２にＬＶ画像を表示することができる。
【００７１】
しかし、連写速度が非常に高速である場合において、各コマの撮像をする度にモニタ５０２にＬＶ画像を表示すると、使用者はＬＶ画像を十分に認識できない可能性がある。なぜなら、高速連写時において、ＬＶ画像表示可能な図３Ａの状態となっている時間が非常に短いからである。
【００７２】
そこで、本実施の形態におけるデジタルカメラ１０は、ノーマリオープン駆動で撮像していても、バッファ３００がフルになるまではモニタ５０２にＡＶ画像を表示する（図１０のタイムＳ４０２〜Ｓ４０３）。そして、デジタルカメラ１０は、タイムＳ４０３においてバッファ３００がフルとなった後は、実施の形態１と同様に待機動作を設けてＬＶ画像とＢＯ画像の表示を行う。また、デジタルカメラ１０は図３Ａに示すような、先幕３１及び後幕２１が開口１１から退避した状態で待機動作を行う。
【００７３】
図９のフローチャートに示すように、本実施の形態におけるデジタルカメラ１０の連写撮影においては、バッファ３００に十分な空き容量がある場合の撮像動作（ステップＴ２０１）とバッファ３００に十分な空き容量がない場合の撮像動作（ステップＴ２０７）が共にノーマリオープン駆動により行われる。ステップＴ２０１、Ｔ２０７以外は実施の形態１の図７に示すフローチャートと同様であるため説明を省略する。
【００７４】
〔２−２．効果等〕
以上説明したように、本実施の形態に係るデジタルカメラ１０は、バッファ３００に十分な空き容量が確保できている間は、ノーマリオープン撮像動作を行って高速連写をするとともに、モニタ５０２にＡＶ画像を表示する。また、デジタルカメラ１０は、バッファ３００がフルになると、ノーマリオープン撮像動作による低速連写を行うと共にＬＶ画像とＢＯ画像とを切り替えて表示する。このように構成することにより、連写コマ速が低下した場合には待機時間にＬＶ画像を表示させるので、使用者は被写体を適切に追うことが可能になる。
【００７５】
〔３．実施の形態３〕
図１１及び図１２を用いて本開示の実施の形態３について説明する。なお、実施の形態１及び２と同じ部分に関しては、図面の対応する箇所に同じ番号を付し、重複する説明を省略する。
【００７６】
〔３−１．動作〕
図１１は、バッファ３００の空き容量の概要を示す図である。本実施の形態におけるデジタルカメラ１０は、バッファ３００の空き容量に応じて連写時の表示切替動作を行う。
【００７７】
連写撮影によって順次得られる画像データは、都度、バッファ３００に格納される。最初の一枚目の撮影により得られた画像データがバッファ３００に格納されるまでは、バッファ３００内の画像データを格納するディレクトリは空である。即ち、図１１に示すバッファ保存量はゼロ（０）である。
【００７８】
連写撮影が開始されると、図１１の矢印に示すように、バッファ３００に画像データが順次格納されていく。このとき、バッファ３００に一旦格納された画像データは、順次、メモリカード５０５に保存されていく。しかし、画像データがメモリカード５０５に保存されるのに要する時間は、画像データがバッファ３００に格納されるのに要する時間より長いので、バッファ３００の保存量は次第に多くなっていくことがある。
【００７９】
本実施の形態におけるデジタルカメラ１０は、バッファ３００の保存量が所定の閾値Ｂ１より多くなると、連写撮影にブレーキをかけてコマ速を低下させ、モニタ５０２に表示させる画像を切り替える。具体的な切替動作については後述する。
【００８０】
連写撮影にブレーキをかけてコマ速を低下させた状態でさらに連写撮影を継続して行うと、次第にバッファ３００に格納される画像データのデータ量が減少することがある。これは、メモリカード５０５への保存に要する時間よりも長い時間連写撮影にブレーキをかけることで実現できる。
【００８１】
本実施の形態におけるデジタルカメラ１０は、バッファ３００の保存量が所定の閾値Ｂ２より少なくなると、連写撮影のブレーキを解除し、モニタ５０２に表示させる画像を再び切り替える。具体的な切替動作については後述する。
【００８２】
なお、図１１に示すように、閾値Ｂ１は閾値Ｂ２よりも大きい方が好ましい。閾値Ｂ２の方が閾値Ｂ１より大きい値であると、バッファ保存量が閾値Ｂ２を下回り、撮影動作のブレーキを解除した後、再度ブレーキを掛ける判定を行うためにはバッファ保存量が閾値Ｂ１を下回っている必要がある。すると、閾値Ｂ１を下回らずにバッファ保存量がフルになってしまい、撮影を継続できない状態となる可能性がある。
【００８３】
次に図１２を用いて、本実施の形態におけるデジタルカメラ１０の連写撮影時の表示切替動作について説明する。図１２のステップＴ１０５までは、図９と同様の動作を行うものとして、説明を省略する。
【００８４】
ＣＰＵ５０３は、レリーズ釦５０７の押下操作を受け付けると、バッファ３００の保存量が所定の閾値Ｂ１以上であるかを検知する（ステップＴ３０６）。バッファ３００の保存量が所定の閾値Ｂ１以上でないとき（ステップＴ３０６におけるＮｏ）、ＣＰＵ５０３は、ステップＴ２０１に戻って撮影動作を継続する。
【００８５】
バッファ３００の保存量が所定の閾値Ｂ１以上であるとき（ステップＴ３０６におけるＹｅｓ）、ＣＰＵ５０３は次のコマの撮像動作と共に、モニタ５０２にＢＯ画像を表示する（ステップＴ３０７）。このとき、図示していないが、バッファ３００に十分な空き容量が確保されるまで待機する。撮像された画像データは、バッファ３００に一時保存される（ステップＴ３０８）。その後、メモリカード５０５への書き込み（ステップＴ３０９）が行われる。メモリカード５０５への書き込みと共に、ＣＰＵ５０３は、ＣＭＯＳセンサ５０１により生成される画像データをもとにＬＶ画像をモニタ５０２に表示する（ステップＴ３１０）。
【００８６】
メモリカード５０５への書き込みが終了すると、ＣＰＵ５０３は、バッファ３００の保存量が閾値Ｂ２以下であるかを検出する（ステップＴ３１１）。バッファ３００の保存量が閾値Ｂ２以下でないとき（ステップＴ３１１におけるＮｏ）、ＣＰＵ５０３は、レリーズ釦５０７が押下されているかを検知する（ステップＴ３１２）。レリーズ釦５０７が押下されていると（ステップＴ３１２におけるＹｅｓ）、ＣＰＵ５０３はステップＴ３０７に示す動作を行う。レリーズ釦５０７が押下されていないとき（ステップＴ３１２におけるＮｏ）、ＣＰＵ５０３は、ステップＴ１００に戻り、次の撮影指示を待つ。
【００８７】
バッファ３００の保存量が閾値Ｂ２以下であるとき（ステップＴ３１１におけるＹｅｓ）、即ち、バッファ３００に十分な空き容量が確保されていると判断するとき、ＣＰＵ５０３は、レリーズ釦５０７が押下されているかを検知する（ステップＴ３１３）。レリーズ釦５０７が押下されている時（ステップＴ３１３におけるＹｅｓ）、ＣＰＵ５０３はステップＴ２０１に示す撮像動作を行う。レリーズ釦５０７が押下されていないとき（ステップＴ３１３におけるＮｏ）、ＣＰＵ５０３は、ステップＴ１００に戻り、次の撮影指示を待つ。
【００８８】
〔３−２．効果等〕
以上説明したように、本実施の形態におけるデジタルカメラ１０は、バッファ３００の保存量に閾値を設け、バッファ３００の保存量に応じて撮像動作及びモニタ５０２の表示を切り替える構成とした。このようにすることで、バッファ３００がフルになる前に撮影動作にブレーキを掛けることができるので、バッファ３００への負担を軽減することができる。更に、バッファ３００に十分な空き容量が確保されるまで撮影動作のブレーキを解除しないので、不必要な表示切替の頻度を軽減することができる。
【００８９】
なお、本実施の形態において、バッファ３００の保存量の閾値Ｂ１が閾値Ｂ２より大きい量となるように構成したが、本開示はこれに限定されるものではない。閾値Ｂ１が閾値Ｂ２より小さい値として切替条件を調整しても構わないし、閾値Ｂ１と閾値Ｂ２を同じ値としても構わない。
【００９０】
また、本実施の形態では、バッファ３００の保存量に対して閾値を設けたが、バッファ３００の残容量に対して閾値を設けても良い。
【００９１】
また、本実施の形態において、撮像動作は共にノーマリオープン撮像動作であるとしたが、本開示はこれに限定されるものではない。実施の形態１のようにノーマリオープン撮像動作とノーマリクローズ撮像動作とを切り替えるものとしても構わない。
【００９２】
〔４．他の実施形態〕
以上のように、本出願において開示する技術の例示として、実施の形態１〜３を説明した。しかしながら、本開示における技術は、これに限定されず、変更、置き換え、付加、省略などを行った実施の形態にも適用できる。また、上記実施の形態１〜３で説明した各構成要素を組み合わせて、新たな実施の形態とすることも可能である。そこで、以下、他の実施の形態を例示する。
【００９３】
実施の形態１〜３におけるデジタルカメラ１０は、バッファ３００の保存量がフルになる、或いは所定量を上回った場合、撮像動作中はモニタにＢＯ画像を表示するものとしたが、本開示はこれに限定されるものではない。デジタルカメラ１０は、このような場合にモニタにＡＶ画像を表示するようにしても構わないし、撮影条件などの所定のデータを表示させるようにしても構わない。または、デジタルカメラ１０は、ＬＶ画像のラストフレームの画像を表示するようにしても構わない。
【００９４】
実施の形態１〜３におけるデジタルカメラ１０は、フォーカルプレーンシャッタ機構を有するものとしたが、本開示はこれに限定されるものではない。デジタルカメラ１０は、電子先幕・メカ後幕の単幕シャッタを用いても構わない。また、デジタルカメラ１０は、電子シャッタのみを用いても構わない。
【００９５】
実施の形態１〜３におけるデジタルカメラ１０は、バッファ３００の保存量に応じてシャッタ駆動及びモニタ表示を切り替える構成としたが、本開示はこれに限定されるものではない。チャージモータ２０１が熱を帯びた場合や、機械的要因などにより連写の撮影速度を落とす必要が生じた場合に、モニタ表示を切り替えるようにしても構わない。
【００９６】
実施の形態１〜３では、レンズ交換式のデジタルカメラ１０であるとしたが、本開示はこれに限定されるものではない。レンズ一体式のデジタルカメラや、スマートフォンなどを用いるようにしても構わない。
【産業上の利用可能性】
【００９７】
本開示は、連写可能な撮像装置、特にデジタルカメラ、スマートフォンなどに適用可能である。
【符号の説明】
【００９８】
１０    デジタルカメラ
１１    開口
２１    後幕
２６    後幕用電磁石
３１    先幕
３６    先幕用電磁石
８５    シャッタ駆動機構
１００    メカシャッタ
２００    チャージブロック
２０１    チャージモータ
３００    バッファ
４００    ポジションセンサ
５０１    ＣＭＯＳセンサ
５０２    モニタ
５０３    ＣＰＵ
５０４    スロット
５０５    メモリカード
５０６    電源
５０７    レリーズ釦
６００    交換レンズ
７００    カメラボディ
【手続補正２】
【補正対象書類名】特許請求の範囲
【補正対象項目名】全文
【補正方法】変更
【補正の内容】
【特許請求の範囲】
【請求項１】
被写体を撮像して画像データを生成する撮像部と、
前記撮像部により得られた画像データを記録する記録部と、
前記撮像部により得られた画像データのリアルタイム動画像であるライブビュー画像と、前記記録部に記録される静止画像であるアフタービュー画像と、を表示可能な表示部と、
前記撮像部及び前記表示部を制御する制御部と、を備え、
前記制御部は、
前記撮像部に第１周期で連続的に撮像動作を行わせた後、前記第１周期よりも長い第２周期で前記撮像部に連続的に撮像動作を行わせ、
前記撮像部が前記第１周期で撮像動作を行っているときは前記表示部に第１表示状態を取らせる一方、
前記撮像部が前記第２周期で撮像動作を行っているときは前記表示部に前記第１表示状態とは異なる第２表示状態を取らせる、
撮像装置。
【請求項２】
前記制御部は、前記第１表示状態として、撮像動作に連動して前記アフタービュー画像を前記表示部に表示させる、
請求項１に記載の撮像装置。
【請求項３】
前記制御部は、前記撮像部が前記第２周期で連続的に撮像動作を行っているとき、各撮像動作の間に待機動作を設け、
前記第２表示状態として撮像動作時と待機動作時とで異なる画像を前記表示部に表示させる、
請求項１に記載の撮像装置。
【請求項４】
前記制御部は、前記第２表示状態として、待機動作時には前記表示部に前記ライブビュー画像を表示させる、
請求項３に記載の撮像装置。
【請求項５】
前記制御部は、前記第２表示状態として、撮像動作中には前記表示部に前記撮像部で撮像された画像を表示しない、
請求項４に記載の撮像装置。
【請求項６】
前記制御部は、前記第２表示状態として、撮像動作中には前記表示部に前記アフタービュー画像を表示する、
請求項４に記載の撮像装置。
【請求項７】
前記撮像部は、開口と、前記開口を覆う状態と前記開口から退避した状態とに駆動可能な先幕及び後幕を有するシャッタ機構を更に備え、
前記制御部は、撮像動作に移る準備動作中に、前記先幕及び前記後幕が前記開口から退避した状態を取るノーマリオープン駆動と、前記先幕及び前記後幕が前記開口から退避した状態を取らないノーマリクローズ駆動とを前記シャッタ機構に選択的に行わせ、
前記撮像部が前記第１周期で撮像動作を行っているときは前記シャッタ機構にノーマリクローズ駆動をさせる一方、
前記撮像部が前記第２周期で撮像動作を行っているときは前記シャッタ機構にノーマリオープン駆動をさせる、
請求項１に記載の撮像装置。
【請求項８】
前記記録部は、前記撮像部により得られた画像データを一時的に格納するバッファであり、
前記制御部は、前記バッファの保存量が第１の量を閾値として、前記撮像部を前記第１周期で駆動させるか、前記第２周期で駆動させるかを制御する、
請求項１に記載の撮像装置。
【請求項９】
前記制御部は、前記バッファの保存量に応じて前記撮像部を前記第２周期で駆動させている際に、
前記バッファの保存量である第２の量を閾値として、前記撮像部を前記第２周期で駆動させるか、前記第１周期で駆動させるかを制御する、
請求項８に記載の撮像装置。
【請求項１０】
前記第１の量は、前記第２の量より多い量である、
請求項９に記載の撮像装置。
【手続補正３】
【補正対象書類名】図面
【補正対象項目名】全図
【補正方法】変更
【補正の内容】
【図１】
2015146004.tif 000022
【図２Ａ】
2015146004.tif 000023
【図２Ｂ】
2015146004.tif 000024
【図３Ａ】
2015146004.tif 000025
【図３Ｂ】
2015146004.tif 000026
【図３Ｃ】
2015146004.tif 000027
【図３Ｄ】
2015146004.tif 000028
【図４Ａ】
2015146004.tif 000029
【図４Ｂ】
2015146004.tif 000030
【図４Ｃ】
2015146004.tif 000031
【図４Ｄ】
2015146004.tif 000032
【図５】
2015146004.tif 000033
【図６】
2015146004.tif 000034
【図７】
2015146004.tif 000035
【図８】
2015146004.tif 000036
【図９】
2015146004.tif 000037
【図１０】
2015146004.tif 000038
【図１１】
2015146004.tif 000039
【図１２】
2015146004.tif 000040
【国際調査報告】
2015146004.tif 000041
2015146004.tif 000042